(57)【要約】【課題】録画コンテンツのコンテンツリストを表示する際に、アナログ出力禁止コンテンツをアナログ出力が禁止されていない（許可されている）コンテンツと区別して表示することが課題になっていた。【解決手段】実施形態の電子機器は、アナログビデオ出力が禁止された録画コンテンツを検出する検出部を備える。また、前記検出されたアナログビデオ出力が禁止された録画コンテンツのコンテンツリストが関連付けられたアナログビデオ出力禁止フォルダを出力するアナログビデオ出力禁止フォルダ出力部を備える。また、前記アナログビデオ出力禁止フォルダが開かれた場合に、前記アナログビデオ出力が禁止された録画コンテンツのコンテンツリストを出力するアナログビデオ出力禁止コンテンツリスト出力部を備える。【選択図】  図５
2013016237.tif 000002
【特許請求の範囲】
【請求項１】
アナログビデオ出力が禁止された録画コンテンツを検出する検出部と、
前記検出されたアナログビデオ出力が禁止された録画コンテンツのコンテンツリストが関連付けられたアナログビデオ出力禁止フォルダを出力するアナログビデオ出力禁止フォルダ出力部と、
前記アナログビデオ出力禁止フォルダが開かれた場合に、前記アナログビデオ出力が禁止された録画コンテンツのコンテンツリストを出力するアナログビデオ出力禁止コンテンツリスト出力部を備える電子機器。
【請求項２】
映像コンテンツを録画可能な録画部を備える請求項１に記載の電子機器。
【請求項３】
前記アナログビデオ出力が禁止された録画コンテンツのコンテンツリストにはサムネイル表示が表示されない請求項１に記載の電子機器。
【請求項４】
アナログビデオ出力が禁止されていない録画コンテンツのコンテンツリストが関連付けられた第２のフォルダを出力する請求項３に記載の電子機器。
【請求項５】
前記第２のフォルダが開かれた場合に、前記アナログビデオ出力が禁止されていない録画コンテンツのコンテンツリストを出力するコンテンツリスト出力部を備える請求項４に記載の電子機器。
【請求項６】
前記アナログビデオ出力が禁止されていない録画コンテンツのコンテンツリストにはサムネイル表示が表示可能である請求項５に記載の電子機器。
【請求項７】
前記サムネイル表示の表示ＯＮ／ＯＦＦを切替え可能にするモード切替え部を出力する請求項６に記載の電子機器。
【請求項８】
前記コンテンツリストは録画コンテンツのコンテンツ一覧表示である請求項１に記載の電子機器。
【請求項９】
前記アナログビデオ出力禁止フォルダを表示可能な表示部を備える請求項１に記載の電子機器。
【請求項１０】
アナログビデオ出力が禁止された録画コンテンツを検出するステップと、
前記検出されたアナログビデオ出力が禁止された録画コンテンツのコンテンツリストが関連付けられたアナログビデオ出力禁止フォルダを出力するステップと、
前記アナログビデオ出力禁止フォルダが開かれた場合に、前記アナログビデオ出力が禁止された録画コンテンツのコンテンツリストを出力するステップを備える電子機器の制御方法。
【請求項１１】
アナログビデオ出力が禁止された録画コンテンツを検出するステップと、
前記検出されたアナログビデオ出力が禁止された録画コンテンツのコンテンツリストが関連付けられたアナログビデオ出力禁止フォルダを出力するステップと、
前記アナログビデオ出力禁止フォルダが開かれた場合に、前記アナログビデオ出力が禁止された録画コンテンツのコンテンツリストを出力するステップを備える電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、外部から送信された映像コンテンツを受信し、ＨＤＤ（Hard disk drive、ハードディスクドライブ）やＢＤ（Blu-ray Disc、ブルーレイディスク）等の記憶部に録画するＢＤレコーダ等の電子機器が普及している。
【０００３】
これらの電子機器は、例えば、上記録画されたコンテンツを映像表示装置や映像表示部に表示可能である。
また、例えば、上記ＢＤレコーダは、コンピュータ・家電メーカ等が結成した団体、ＡＡＣＳ  ＬＡが策定した映像コンテンツのコピープロテクト規格である「ＡＡＣＳ」規定の適用を受ける。
【０００４】
ここで、「ＡＡＣＳ」は、Advanced Access Content System （アドバンスド アクセス コンテンツ システム）の略である。
この規定により、２０１１年１月以降の現在、ＢＤプレーヤー/レコーダは、「ＡＡＣＳ」で保護したコンテンツのアナログビデオ出力は、ＨＤ解像度で出力することが禁止され、ＳＤ解像度（最高４８０ｉ）に制限されている（第１次アナログサンセット）。
【０００５】
また、同様に、この規定により、２０１３年１２月３１日より後に製造、販売されるＢＤプレーヤー/レコーダについては、アナログビデオ出力が禁止される予定である（第２次アナログサンセット）。
【０００６】
このため、アナログビデオ出力が禁止されるコンテンツは、サムネイル表示が禁止される。しかし、アナログビデオ出力が許可されるコンテンツは、サムネイル表示は禁止されない。
【０００７】
また、例えば、ＢＤレコーダではアナログ出力禁止コンテンツとアナログ出力が禁止されていない（許可されている）コンテンツが混在して録画される可能性がある。
【０００８】
そして、これらのコンテンツリストを表示する際に、例えば、同一画面に、上記アナログ出力禁止コンテンツとアナログ出力が禁止されていない（許可されている）コンテンツが存在すると、サムネイル表示が表示されるものとサムネイル表示が表示されないものが混在し、ユーザに混乱を与える可能性がある。
【０００９】
このため、録画コンテンツのコンテンツリストを表示する際に、アナログ出力禁止コンテンツをアナログ出力が禁止されていない（許可されている）コンテンツと区別して表示することが課題になっていた。
【先行技術文献】
【特許文献】
【００１０】
【特許文献１】特開２００５−３３９６９１号公報
【発明の概要】
【発明が解決しようとする課題】
【００１１】
録画コンテンツのコンテンツリストを表示する際に、アナログ出力禁止コンテンツをアナログ出力が禁止されていない（許可されている）コンテンツと区別して表示することが課題になっていた。
【課題を解決するための手段】
【００１２】
実施形態の電子機器は、アナログビデオ出力が禁止された録画コンテンツを検出する検出部を備える。
また、前記検出されたアナログビデオ出力が禁止された録画コンテンツのコンテンツリストが関連付けられたアナログビデオ出力禁止フォルダを出力するアナログビデオ出力禁止フォルダ出力部を備える。
【００１３】
また、前記アナログビデオ出力禁止フォルダが開かれた場合に、前記アナログビデオ出力が禁止された録画コンテンツのコンテンツリストを出力するアナログビデオ出力禁止コンテンツリスト出力部を備える。
【図面の簡単な説明】
【００１４】
【図１】実施形態の電子機器（ＢＤレコーダ）に映像表示装置が接続されたようすを示す外観図。
【図２】実施形態の電子機器の構成の一例を示すブロック図。
【図３】実施形態の電子機器から出力されるタイトルリスト表示の一例を示す図。
【図４】実施形態の電子機器から出力されるタイトルリスト表示の他の例を示す図。
【図５】実施形態の電子機器に係り、アナログビデオ出力禁止コンテンツがファイルされるフォルダを開き、コンテンツ一覧を表示する例を示す図。
【図６】実施形態の電子機器に係り、アナログビデオ出力許可コンテンツがファイルされるフォルダを開き、コンテンツ一覧を表示する例を示す図。
【図７】実施形態の電子機器において、録画リストを表示する動作を説明するフローチャート。
【図８】実施形態の電子機器において、録画を開始する動作を説明するフローチャート。
【図９】実施形態の電子機器において、録画を終了する動作を説明するフローチャート。
【図１０】他の実施形態の電子機器（ＴＶ）を示す外観図。
【発明を実施するための形態】
【００１５】
以下、図面を参照し、実施の形態を説明する。
図１は、実施形態の電子機器（ＢＤレコーダ）に映像表示装置が接続されたようすを示す外観図である。
３０はこの実施の形態に係る電子機器（ＢＤレコーダ）である。この電子機器（ＢＤレコーダ）３０は、図１に示すように、映像表示装置（ＴＶ）１とアナログケーブル３０ａ、ＨＤＭＩケーブル３０ｂを介して接続される。
【００１６】
そして、例えば、ユーザがリモコン２０を用いて電子機器（ＢＤレコーダ）３０を操作し、この電子機器（ＢＤレコーダ）３０から出力された映像コンテンツや表示に係る映像が映像表示装置（ＴＶ）１の映像表示部に向けて出力され、表示される。
【００１７】
図２は、実施形態の電子機器の構成の一例を示すブロック図である。
２はアンテナ、３ａはチューナ、４は信号処理部、５は映像処理部、６は音声処理部、１０はバスである。
また、１１は電子機器（ＢＤレコーダ）３０を制御する制御部、１２は制御部に設けられるＣＰＵ、１３はＲＡＭ、１４はＲＯＭ、１５はフラッシュメモリ、１６は録画再生部（ＢＤ、ＨＤＤ）である。
【００１８】
また、１７はＨＤＭＩ端子、２７はアナログ端子、１９は操作受信部、２０はユーザに操作され、電子機器（ＢＤレコーダ）３０に指示を行なう操作機器（リモートコントローラ）である。
【００１９】
２１は送受信部、２６はインターネットである。
また、２５ａ、２５ｂは放送番組を放送する放送局である。ここでは、放送番組は放送局２５ａ、２５ｂ等の複数の放送局から番組（映像コンテンツ）が放送される。
【００２０】
アンテナ２は、電子機器（ＢＤレコーダ）３０に接続される。３ａはチューナである。チューナは単数でも良いし、複数でも良い。
複数の放送局２５ａ、２５ｂ等から放送波の形態で放送された複数の番組（放送信号）が、アンテナ２で受信され、チューナ３ａに送信される。チューナ３ａでは、番組（放送信号）を選局受信し、信号処理部４へ出力する。
【００２１】
ここでは、制御部１１のＭＰＵ１２は、チューナ３ａ、信号処理部４、映像処理部５、音声処理部６、ＲＡＭ１３、ＲＯＭ１４、フラッシュメモリ１５、録画再生部（ＢＤ、ＨＤＤ）１６、ＨＤＭＩ端子１７、操作受信部１９、操作機器（リモートコントローラ）２０、送受信部２１と、それぞれ、バス１０を介して接続され、これらを制御する。
【００２２】
信号処理部４は、チューナ３ａで選局され、番組に係る映像信号にデコード処理を施し、トランスポートストリーム（ＴＳ）のフォーマットで、録画再生部（ＢＤ、ＨＤＤ）１６へ映像信号を出力する。
【００２３】
録画再生部（ＢＤ、ＨＤＤ）１６は、例えばＢＤ（ブルーレイディスク）やＨＤＤ（ハードディスク装置）等の記録媒体を備えた大容量の録画再生装置（映像信号記録再生装置）であり、ここでは電子機器（ＢＤレコーダ）３０に構成される。なお、録画再生部（ＢＤ、ＨＤＤ）１６はＳＳＤでも構成可能である。
【００２４】
録画再生部（ＢＤ、ＨＤＤ）１６は、トランスポートストリーム（ＴＳ）のフォーマットで送信された映像信号を連続的に受信し、受信した放送番組を録画再生部（ＢＤ、ＨＤＤ）１６に録画する。
【００２５】
録画再生部（ＢＤ、ＨＤＤ）１６に録画された放送番組は、適宜、再生可能である。録画された映像信号の中から再生のために抽出された番組に係る映像信号は信号処理部４でデコード処理され、それぞれ音声信号と映像信号を抽出し、出力する。音声信号は音声処理部６に出力される。映像信号は映像処理部５に出力される。
【００２６】
音声処理部６は出力された音声信号にデコード処理を行い、アナログケーブル３０ＡやＨＤＭＩケーブル３０Ｂを介して電子機器（ＴＶ）１に出力する。また、電子機器（ＴＶ）１は図示しないスピーカを備え、上記デコード処理された音声信号を受信し、音声に変換して出力する。
【００２７】
映像処理部５は出力された映像信号にデコード処理を行い、表示処理部７へ出力する。表示処理部７は色や表示位置等の表示処理を行い、アナログケーブル３０ａやＨＤＭＩケーブル３０ｂを介して電子機器（ＴＶ）１に構成される表示装置（図示せず）に出力する。
【００２８】
上記のように、この実施の形態においては、電子機器（ＢＤレコーダ）３０は、ＨＤＭＩ端子１７を介してＨＤＭＩ（登録商標）ケーブル１８ｂで、また、アナログ端子２７を介してアナログケーブル３０ａで電子機器（ＴＶ）１と接続される。
【００２９】
また、電子機器（ＢＤレコーダ）３０は、操作受信部１９を介して、リモートコントローラやキーボード等の操作機器２０が接続され、映像表示装置（ＴＶ）１のユーザ操作が可能である。
【００３０】
また、電子機器（ＢＤレコーダ）３０は、送受信部２１を介して、インターネット２６に接続され、インターネット通信が可能である。
上記のように、録画再生部１６は映像コンテンツを録画可能な記憶部（ＨＤＤやＢＤ等）を備えている。
そして、この実施の形態においては、例えば、電子機器（ＢＤレコーダ）３０の制御部１１において、録画再生部１６に録画されているコンテンツのアナログビデオ出力が禁止されているかを検出する。
【００３１】
そして、後述するように、録画再生部１６に録画されている録画コンテンツのアナログビデオ出力が禁止されていない場合は、映像表示装置（ＴＶ）１に、第２のフォルダ（一般的なフォルダ）の表示を出力する。
【００３２】
また、録画再生部１６に録画されている録画コンテンツのアナログビデオ出力が禁止されている場合は、映像表示装置（ＴＶ）１に、第１のフォルダ（アナログビデオ出力禁止フォルダ）の表示を出力する。
【００３３】
ここで、アナログビデオ出力が禁止されていない（許可されている）録画コンテンツとアナログビデオ出力が禁止されている録画コンテンツについて説明する。
上記のように、ＢＤレコーダは、「ＡＡＣＳ」規定（ＡＡＣＳ  ＬＡによって策定された映像コンテンツのコピープロテクト規格）の適用を受ける。
そして、この規定により、２０１３年１２月３１日より後に製造、販売されるＢＤプレーヤー/レコーダについては、アナログビデオ出力が禁止される予定である（第２次アナログサンセット）。
【００３４】
また、録画再生部１６に録画されている録画コンテンツのアナログビデオ出力が禁止されていない（アナログビデオ出力が許可されている）か、アナログビデオ出力が禁止されているかの検出は、例えば、上記制御部１１のＣＰＵ１２において行なわれる。
【００３５】
図３は、実施形態の電子機器から出力されるタイトルリスト表示の一例を示す図である。
特に図示しないが、この実施の形態においては、例えば、ユーザがリモコン２０を操作し、このタイトルリスト表示４０が上記電子機器（ＢＤレコーダ）３０から出力され、例えば、映像表示装置（ＴＶ）１の映像表示部に表示される。
【００３６】
ここでは、映像表示装置（ＴＶ）１に表示されるタイトルリスト表示４０には、「録画リスト」と表示されている。ここで、この実施の形態においては、タイトルリストと録画リストは、どちらも録画されたコンテンツのリストであり、特にタイトルをリスト表示するものはタイトルリストである。
【００３７】
そして、図３に示すように、例えば、この実施の形態においては、２つのフォルダと１つのリストが出力表示されている。
４２は例えば、第１のフォルダである。この第１のフォルダ４２は、「アナログビデオ出力禁止フォルダ」である。この実施の形態においては、この第１のフォルダ（「アナログビデオ出力禁止フォルダ」）４２には、上記アナログビデオ出力が禁止されているコンテンツのリストが保存される。
【００３８】
例えば、ユーザが、上記リモコン２０等を操作し、この第１のフォルダ（「アナログビデオ出力禁止フォルダ」）４２を開く操作を行なうことにより、第１のフォルダ（「アナログビデオ出力禁止フォルダ」）４２に保存されているコンテンツのリストを表示し、所望のコンテンツにアクセスすることができる。
【００３９】
４１は例えば、第２のフォルダである。この第２のフォルダ４１は、例えば、「私のフォルダ」である。ここでは、「私のフォルダ」は、例えば、お父さん、お母さん、子供等の個人（私）毎に関連するコンテンツを区別して保存するフォルダであり、一般的なフォルダである。
【００４０】
この実施の形態においては、この第２のフォルダ（「私のフォルダ」）４１には、アナログビデオ出力が禁止されていない（アナログビデオ出力が許可されている）コンテンツが保存される。なお、このタイトルリスト４０では、フォルダを表示し、保存されているコンテンツのリスト表示は行わない。ここで保存されているコンテンツのリスト表示は、以下に説明する４３のリスト表示出力部に表示出力する。
【００４１】
ユーザは、例えば、上記リモコン２０等を操作し、この第２のフォルダ（「私のフォルダ」）４１を開く操作を行なうことにより、第２のフォルダ（「私のフォルダ」）４１に保存されているコンテンツにアクセスすることができる。
【００４２】
また、４３は例えば、アナログビデオ出力許可タイトルをリスト表示するアナログビデオ出力許可タイトルのリスト表示である。
ここでは、例えば、アナログビデオ出力許可タイトル「2011/3/15 13:00〜14:00」および「2011/3/25 16:00〜17:00」の２つがリスト表示されている。
【００４３】
ユーザは、例えば、上記リモコン２０等を操作し、上記表示されたアナログビデオ出力許可タイトル「2011/3/15 13:00〜14:00」および「2011/3/25 16:00〜17:00」のコンテンツにアクセスすることもできる。
【００４４】
また、上記、アナログビデオ出力が禁止されていないコンテンツ（アナログビデオ出力が許可されているコンテンツ）か、アナログビデオ出力が禁止されているコンテンツかの検出は、例えば、コンテンツのヘッダー情報に「アナログビデオ出力禁止信号（フラグ）」が付与されているか、「アナログビデオ出力禁止信号（フラグ）」が付与されていないかを検出することにより、行なうことが可能である。
【００４５】
図４は、実施形態の電子機器から出力されるタイトルリスト表示の他の例を示す図である。
この実施の形態においても、上記と同様に、２つのフォルダと１つのリストが出力表示されている。
４２は例えば、第１のフォルダであり、第１のフォルダ（「アナログビデオ出力禁止フォルダ」）４２には、上記アナログビデオ出力が禁止されているコンテンツが保存される。
【００４６】
また、４１は例えば、第２のフォルダであり、第２のフォルダ（「私のフォルダ」）４１には、アナログビデオ出力が禁止されていない（アナログビデオ出力が許可されている）コンテンツが保存される。
【００４７】
また、４３は例えば、アナログビデオ出力許可タイトルをリスト表示するアナログビデオ出力許可タイトルのリスト表示であり、例えば、アナログビデオ出力許可タイトル「2011/3/15 13:00〜14:00」および「2011/3/25 16:00〜17:00」の２つがリスト表示されている。
【００４８】
そして、この実施の形態においては、上記「2011/3/15 13:00〜14:00」のリスト表示には、このコンテンツに関連するサムネイル４３ａが並べて表示される。
【００４９】
また、上記「2011/3/25 16:00〜17:00」のリスト表示には、このコンテンツに関連するサムネイル４３ｂが並べて表示される。
すなわち、アナログビデオ出力許可タイトルのリスト表示４３においては、ここで表示出力されるコンテンツは、上記のようにアナログビデオ出力が許可された（禁止されていない）タイトルである。
【００５０】
このため、ここで表示出力されるコンテンツは、アナログビデオ出力を行なうことができることから、ここでは、上記のように、サムネイル４３ａ、サムネイル４３ｂを出力表示することが可能である。
【００５１】
上記と同様に、ユーザは、例えば、上記リモコン２０等を操作し、第２のフォルダ（「私のフォルダ」）４１や第１のフォルダ（「アナログビデオ出力禁止フォルダ」）４２を開く操作を行なうことにより、それぞれのフォルダに保存されているコンテンツにアクセスすることができる。
【００５２】
また、ユーザは、例えば、上記リモコン２０等を操作し、上記サムネイルと共に表示されたアナログビデオ出力許可タイトルのコンテンツにアクセスすることもできる。
【００５３】
図５は、実施形態の電子機器に係り、アナログビデオ出力禁止コンテンツがファイルされるフォルダを開き、コンテンツ一覧を表示する例を示す図である。
図５に示すように、この実施の形態においては、アナログビデオ出力禁止コンテンツのコンテンツ一覧５０ｂには、サムネイル表示は表示されない。
そして、ここでは、例えば、ユーザが上記リモコン２０を操作し、第１のフォルダ（「アナログビデオ出力禁止コンテンツのフォルダ」）４２を開く操作を行なうと、６１のように、この第１のフォルダ（「アナログビデオ出力禁止コンテンツのフォルダ」）４２に保存されたコンテンツ一覧５０ｂが、ＴＶ１に表示される。
【００５４】
ここでは、例えば、「2011/3/15 13:00〜14:00」および「2011/3/25 16:00〜17:00」のコンテンツリストが表示される。
上記のように、このコンテンツ一覧５０ｂは、アナログビデオ出力禁止コンテンツを一覧表示するため、このコンテンツ一覧５０ｂに表示される「2011/3/15 13:00〜14:00」および「2011/3/25 16:00〜17:00」のコンテンツリストには、サムネイルは表示されない。
【００５５】
図６は、実施形態の電子機器に係り、アナログビデオ出力許可コンテンツがファイルされるフォルダを開き、コンテンツ一覧を表示する例を示す図である。
上記のように、アナログビデオ出力許可コンテンツのコンテンツ一覧には、サムネイル表示を表示することが可能である。
ここでは、例えば、このコンテンツ一覧を表示する場合に、サムネイル表示を表示する例と、サムネイル表示を表示しない例を説明する。
６０ａはサムネイル表示を表示する例である。
例えば、ここでは、サムネイル表示を表示することが予め設定されている。
上記と同様に、ユーザが上記リモコン２０を操作し、第２のフォルダ（「アナログビデオ出力許可コンテンツのフォルダ」）４１を開く操作を行なうと、ＴＶ１に、６１ａのようにコンテンツ一覧５０ａが表示される。
【００５６】
ここでは、例えば、５０ａに示すように、サムネイル４３ａが付与されたコンテンツリスト「2011/3/15 13:00〜14:00」およびサムネイル４３ｂが付与されたコンテンツリスト「2011/3/25 16:00〜17:00」の２つのコンテンツリストが表示される。
【００５７】
また、この実施の形態においては、このコンテンツ一覧５０ａの表示画面に「モード切替え」表示５２が表示される。
例えば、ユーザが、この「モード切替え」表示５２を操作すると、上記サムネイル４３ａおよびサムネイル４３ｂの表示のＯＮ／ＯＦＦを切替え操作することが可能である。
【００５８】
また、例えば、サムネイル表示を表示しないことを予め設定することも可能である。
この場合は、ユーザが上記リモコン２０を操作し、第２のフォルダ（「アナログビデオ出力許可コンテンツのフォルダ」）４１を開く操作を行なうと、ＴＶ１に、６１ｂのようにコンテンツ一覧５０ｂが表示される。
【００５９】
ここでは、例えば、５０ｂに示すように、サムネイル４３ａが付与されないコンテンツリスト「2011/3/15 13:00〜14:00」およびサムネイル４３ｂが付与されないコンテンツリスト「2011/3/25 16:00〜17:00」の２つのコンテンツリストが表示される。
【００６０】
また、同様に、この例においては、このコンテンツ一覧５０ｂの表示画面に「モード切替え」表示５２が表示される。
例えば、ユーザが、この「モード切替え」表示５２を操作すると、上記のように、サムネイル４３ａおよびサムネイル４３ｂの表示のＯＮ／ＯＦＦを切替え操作することが可能である。
【００６１】
上記のようにコンテンツ一覧（５０ａ、５０ｂ）を表示することにより、ユーザは、サムネイルを表示できないコンテンツとサムネイルを表示できるコンテンツを簡易に区別することが可能になる。
【００６２】
図７は、実施形態の電子機器において、録画リストを表示する動作を説明するフローチャートである。
Ｓ１００は、ここでの開始ステップである。続いて、ステップＳ１０１に進む。
Ｓ１０１は、ユーザが、例えば、リモコン２０を操作し、上記電子機器（ＢＤレコーダ）３０に録画リスト４０の表示を指示するステップである。ここでは、電子機器（ＢＤレコーダ）３０から出力された録画リスト４０の表示（タイトルリスト表示４０）は、上記のように、映像表示装置（ＴＶ）１に表示される。続いて、ステップＳ１０２に進む。
【００６３】
Ｓ１０２は、例えば、上記録画再生部１６に録画コンテンツが保存されている（録画コンテンツ有）か、を検出するステップである。ここでの検出は、例えば、制御部１１のＣＰＵ１２によって制御される。そして、録画再生部１６に録画コンテンツが保存されている（録画コンテンツ有）と検出される場合は、ステップＳ１０３に進む（Ｙｅｓ）。録画再生部１６に録画コンテンツが保存されている（録画コンテンツ有）と検出されない場合は、ステップＳ１０８に進む（Ｎｏ）。
【００６４】
Ｓ１０３は、録画コンテンツ情報を取得するステップである。ここで、録画コンテンツ情報は、例えば、アナログビデオ出力が禁止されているか否かのアナログビデオ出力禁止情報が含まれる。続いて、ステップＳ１０４に進む。
【００６５】
Ｓ１０４は、上記取得された録画コンテンツ情報（アナログビデオ出力禁止情報）を用い、例えば、録画再生部１６に保存されている録画コンテンツが、アナログビデオ出力が禁止されたコンテンツであるか否かを判別するステップである。
【００６６】
この判別は、上記のように、例えば、コンテンツのヘッダー情報に「アナログビデオ出力禁止信号（フラグ）」が付与されているか、「アナログビデオ出力禁止信号（フラグ）」が付与されていないかを検出することにより、行なうことが可能である。
【００６７】
この判別は、例えば、上記制御部１１のＣＰＵ１２によって行なわれる。そして、録画再生部１６に保存されている録画コンテンツが、アナログビデオ出力が禁止されたコンテンツであると判別される場合は、ステップＳ１０５に進む（Ｙｅｓ）。録画再生部１６に保存されている録画コンテンツが、アナログビデオ出力が禁止されたコンテンツではないと判別される場合は、ステップＳ１０６に進む（Ｎｏ）。
【００６８】
Ｓ１０５は、例えば、上記説明したアナログビデオ出力禁止フォルダ４２を上記映像表示装置（ＴＶ）１に表示するステップである。ここでは、上記のように、コンテンツリスト等は非表示である。続いて、ステップＳ１０２に進み、上記処理を繰り返す。
【００６９】
Ｓ１０６は、上記私のフォルダ４１と上記タイトルリスト４３を上記映像表示装置（ＴＶ）１に一覧表示するステップである。続いて、ステップＳ１０２に進み、上記処理を繰り返す。
【００７０】
Ｓ１０７は、終了ステップであり、ここでの処理は終了する。
図８は、実施形態の電子機器において、録画を開始する動作を説明するフローチャートである。
Ｓ２００は、ここでの開始ステップである。続いて、ステップＳ２０１に進む。
Ｓ２０１は、ユーザが、例えば、リモコン２０を操作し、上記電子機器（ＢＤレコーダ）３０にコンテンツの記録、すなわち、録画の開始を指示するステップである。続いて、ステップＳ２０２に進む。
【００７１】
Ｓ２０２は、上記電子機器（ＢＤレコーダ）３０が、初期値として、上記コンテンツのアナログビデオ出力禁止フラグを無効化し、アナログビデオ出力を許可するステップである。続いて、ステップＳ２０３に進む。
【００７２】
Ｓ２０３は、上記電子機器（ＢＤレコーダ）３０が、上記コンテンツのヘッダー情報等に含まれるアナログビデオ出力禁止信号（フラグ）を検出したかを判別するステップである。この処理は、例えば、制御部１１のＣＰＵ１２に制御される。そして、アナログビデオ出力禁止信号（フラグ）を検出したと判別される場合は、ステップＳ２０５に進む（Ｙｅｓ）。アナログビデオ出力禁止信号（フラグ）を検出したと判別されない場合は、ステップＳ２０４に進む（Ｎｏ）。
【００７３】
Ｓ２０４は、上記電子機器（ＢＤレコーダ）３０の制御部１１のＣＰＵ１２が、既にアナログビデオ出力禁止フラグは有効になっているかを判別するステップである。ここで、既にアナログビデオ出力禁止フラグは有効になっていると判別される場合は、ステップＳ２０５に進む（Ｙｅｓ）。既にアナログビデオ出力禁止フラグは有効になっていると判別されない場合は、ステップＳ２０３に進み、上記処理を繰り返す（Ｎｏ）。
【００７４】
Ｓ２０５は、アナログビデオ出力禁止フラグを有効化するステップである。これにより、このコンテンツのアナログビデオ出力が禁止される。続いて、ステップＳ２０３に進み、上記処理を繰り返す。
【００７５】
図９は、実施形態の電子機器において、録画を終了する動作を説明するフローチャートである。
Ｓ３００は、ここでの開始ステップである。続いて、ステップＳ３０１に進む。
Ｓ３０１は、ユーザが、例えば、リモコン２０を操作し、上記電子機器（ＢＤレコーダ）３０にコンテンツの記録、すなわち、録画の終了を指示するステップである。続いて、ステップＳ３０２に進む。
【００７６】
Ｓ３０２は、上記録画コンテンツの録画コンテンツ情報の保存を開始するステップである。上記のように、録画コンテンツ情報は、上記アナログビデオ出力禁止情報を含んでいる。続いて、ステップＳ３０３に進む。
【００７７】
Ｓ３０３は、上記アナログ出力禁止情報（フラグ）は有効かを判別するステップである。この処理は、例えば、制御部１１のＣＰＵ１２に制御される。そして、アナログ出力禁止情報（フラグ）は有効であると判別される場合は、ステップＳ３０４に進む（Ｙｅｓ）。アナログ出力禁止情報（フラグ）は有効ではないと判別される場合は、ステップＳ３０５に進む（Ｎｏ）。
【００７８】
Ｓ３０４は、例えば、録画コンテンツのヘッダー情報に、アナログ出力を禁止するフラグ（タグ）、すなわち、アナログ出力禁止フラグ（タグ）を付加するステップである。続いて、ステップＳ３０６に進む。
【００７９】
Ｓ３０５は、例えば、録画コンテンツのヘッダー情報に、アナログ出力を許可するフラグ（タグ）、すなわち、アナログ出力許可フラグ（タグ）を付加するステップである。続いて、ステップＳ３０６に進む。
【００８０】
Ｓ３０６は、録画コンテンツのヘッダー情報に、上記アナログ出力禁止フラグ（タグ）や上記アナログ出力許可フラグ（タグ）を付加し、録画コンテンツ情報の保存を完了するステップである。続いて、ステップＳ３０７に進む。
【００８１】
Ｓ３０７は、終了ステップであり、ここでの処理は終了する。
上記のように構成することによって、この実施の形態においては、アナログビデオ出力が禁止された場合に生じるユーザの混乱を低減し、利便性を向上させた電子機器を提供することが可能になる。
【００８２】
図１０は、他の実施形態の電子機器（ＴＶ）を示す外観図である。
この実施の形態においては、電子機器（ＴＶ）１ａは、表示画面８を備え、また、上記説明した電子機器（ＢＤレコーダ）３０の機能を内蔵する。
そして、上記と同様に、例えば、ユーザがリモコン２０を用いて電子機器（ＴＶ）１ａを操作し、映像コンテンツや表示に係る映像が電子機器（ＴＶ）１ａの表示画面８に表示される。
【００８３】
また、この実施の形態においては、電子機器（ＴＶ）１ａは、上記に加え、外部に構成される外部記録機器（ＨＤＤ等）９０に、例えば、ＵＳＢ端子等を用いて接続可能である。そして、この外部記録機器（ＨＤＤ等）９０に、上記録画再生部１６と同様に、映像コンテンツの録画が可能である。
【００８４】
上記のように、この実施の形態においては、例えば、コンテンツの録画（記録）時にアナログ出力禁止信号（フラグ）を検出する。そして、録画コンテンツの一部又は全部がアナログ出力禁止となる場合は、その録画コンテンツをアナログ出力禁止コンテンツとして扱う様に、例えば、ヘッダー情報等にアナログ出力禁止信号（フラグ）を記録する。
【００８５】
また、この実施の形態においては、コンテンツの録画時にアナログ出力禁止信号（フラグ）を記録しておいた機器側でその情報を参照し、上記のように録画コンテンツを一覧表示する際にアナログ出力が禁止されたコンテンツをアナログ出力が禁止されていないコンテンツと区別するために専用フォルダ（アナログ出力禁止フォルダ）を表示する。
【００８６】
また、上記録画コンテンツの一覧表示はサムネイルが付加された一覧表示モードとサムネイルが付加されない一覧表示モードの２つのモードを構成する。そして、上記アナログ出力が禁止された録画コンテンツは、サムネイルが付加されない一覧表示モードとする。
【００８７】
上記のように構成することによって、この実施の形態においては、アナログビデオ出力が禁止された場合に生じるユーザの混乱を低減し、利便性を向上させた電子機器を提供することが可能になる。
【００８８】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００８９】
なお、上記実施形態は、記述そのものに限定されるものではなく、実施段階では、その趣旨を逸脱しない範囲で、構成要素を種々変形して具体化することが可能である。
【００９０】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００９１】
１…映像表示装置（ＴＶ）、１ａ…電子機器（ＴＶ）、１６…録画再生部（ＨＤＤ、ＢＤ）、１７…ＨＤＭＩ端子、２７…アナログ端子、３０…電子機器（ＢＤレコーダ）、３０ａ…アナログケーブル、３０ｂ…ＨＤＭＩケーブル、４１…第２のフォルダ（私のフォルダ（一般的なフォルダ））、４２…第１のフォルダ（アナログビデオ出力禁止フォルダ）、４３…アナログビデオ出力許可タイトルのリスト表示、４３ａ…サムネイル、４３ｂ…サムネイル、５０ａ…コンテンツ一覧、５０ｂ…コンテンツ一覧、５２…モード切替え表示。
【図１】
2013016237.tif 000003
【図２】
2013016237.tif 000004
【図３】
2013016237.tif 000005
【図４】
2013016237.tif 000006
【図５】
2013016237.tif 000007
【図６】
2013016237.tif 000008
【図７】
2013016237.tif 000009
【図８】
2013016237.tif 000010
【図９】
2013016237.tif 000011
【図１０】
2013016237.tif 000012